Podtech/llm-jp-corpus-v4-ja_patent huggingface dataset:
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
第１および第２のケージ半体を有するケージであって、各ケージ半体は円周方向に離間された複数個の開口を備えた夫々の径方向セグメントを有し、各開口は開口周縁部を有し、円周方向において上記複数個の開口間となる上記径方向セグメントの部分同士は所定平面に沿い当接し且つ夫々の開口は整列されることで転動要素用ポケットを画成し乍ら上記ケージ半体同士は相互接続されるというケージと、
各転動要素の中心線が上記所定平面内にまたは該平面の近傍に位置する如く上記転動要素用ポケット内に位置決めされた複数個の転動要素と、
各開口周縁部の少なくとも一部分に沿い延在することで上記転動要素を夫々の１個の転動要素用ポケット内に保持するフランジとを備え、
各フランジは複数個のタブとして形成され、夫々の開口周縁部の少なくとも一部分上にて、一方のケージ半体からのタブは他方のケージ半体からのタブと交互配置されるスラスト軸受アセンブリ。
【請求項２】
各転動要素の中心線は前記所定平面内に位置する請求項１記載のスラスト軸受アセンブリ。
【請求項３】
各フランジは夫々の開口の周縁部全体に沿い延在する請求項１記載のスラスト軸受アセンブリ。
【請求項４】
前記開口は概略的に短形状である請求項１記載のスラスト軸アセンブリ。
【請求項５】
各フランジは前記概略的に短形状の開口の角隅部にて連続表面を含む請求項４記載のスラスト軸受アセンブリ。
【請求項６】
少なくとも一方のケージ半体は、外側半径に沿うフランジであって前記所定平面から離間して延在するフランジを含む請求項１記載のスラスト軸受アセンブリ。
【請求項７】
少なくとも一方のケージ半体は、内側半径に沿うフランジであって前記所定平面から離間して延在するというフランジを含む請求項１記載のスラスト軸受アセンブリ。
【請求項８】
前記各ケージ半体は、スポット溶接と、機械的継手と、円周方向に延在する挟持バンドと、他方のケージ半体の一部分と重なり合い且つ該一部分を挟持する一方のケージ半体の一部分により一体的に結合される請求項１記載のスラスト軸受アセンブリ。
【請求項９】
前記各ケージ半体は同一的である請求項１記載のスラスト軸受アセンブリ。
【請求項１０】
前記フランジは前記転動要素に隣接する円滑な湾曲表面を含む請求項１記載のスラスト軸受アセンブリ。
【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
酸化ストレス依存性疾患の存在に関する確率データを生成する方法であって：
生体液の得られたスペクトルを分析様式を使用して分析し；
得られたスペクトルと、酸化ストレス依存性疾患との間の相関関係を使用して、確率データ生成することを包含する方法。
【請求項２】
前記分析様式が多波長光吸収である、請求項１に記載の方法。
【請求項３】
前記分析様式が、光学的ラマン散乱及び光学的蛍光のうちの一方である、請求項１に記載の方法。
【請求項４】
前記光スペクトルが短波長近赤外線である、請求項２又は３に記載の方法。
【請求項５】
前記光スペクトルが近赤外線である、請求項２又は３に記載の方法。
【請求項６】
前記光スペクトルがＴＨｚ帯にある、請求項２又は３に記載の方法。
【請求項７】
前記の選択した分析様式がＮＭＲである、請求項２又は３に記載の方法。
【請求項８】
前記疾患がアルツハイマー病（ＡＤ）である、請求項１〜７の何れか１項に記載の方法。
【請求項９】
前記疾患が軽度認知障害（ＭＣＩ）である、請求項１〜７の何れか１項に記載の方法。
【請求項１０】
前記疾患がパーキンソン病（ＰＤ）である、請求項１〜７の何れか１項に記載の方法。
【請求項１１】
前記疾患が血管性認知障害（ＶＣＩ）である、請求項１〜７の何れか１項に記載の方法。
【請求項１２】
請求項１〜７の何れか１項に記載の生体液中の酸化ストレス成分の酸化還元シグニチャを取得し；
少なくとも１つの追加の臨床病状を観察し；
前記少なくとも１つの追加の病状及び前記酸化還元シグニチャを使用して診断を取得することを包含するが、この場合、前記診断が、前記測定値及び前記少なくとも１つの追加の病状の何れか一方のみでは行うことができない、臨床診断を補助する方法。
【請求項１３】
酸化ストレス関連疾患の処置を目的とする薬物又は治療薬の効果を試験する方法であって：
薬物又は治療薬に従い、請求項１〜７の何れか１項に記載の方法を使用して、一定期間にわたり酸化還元シグニチャを測定することを包含する、方法。
【請求項１４】
酸化ストレス成分を監視する方法であって：
請求項１〜７の何れか１項に記載の方法を使用して、少なくとも１つの酸化ストレス成分を連続して又は高い頻度で測定し；
前記１つ以上の酸化ストレス成分における変化を検出することを包含する、方法。
【請求項１５】
複数の前記酸化ストレス成分の重み付け平均を表す値が計算され、前記変化の検出が、前記平均における変化を検出して、酸化ストレスの程度における変化を検出することを包含する、請求項１２、１３及び１４の何れか１項に記載の方法。
【請求項１６】
更に、前記変化の検出に応答して警告を発することを包含する、請求項１４又は１５に記載の方法。
【請求項１７】
患者における少なくとも１つの酸化ストレス成分を測定する装置であって：
媒体の少なくとも１つの光学的特性を測定し、光学測定データを生成する、光源及び光検出器を備えた光学分析装置；
該光学分析装置を該患者の生体液と連結する経皮カプラー；及び
該光学測定データを分析して、１つ以上の酸化ストレス成分の値を該患者の酸化還元シグニチャの形式で生成するプロセッサを含む、装置。
【請求項１８】
前記プロセッサが、複数の前記酸化ストレス成分の値の重み付け平均を表す値を生成し、前記平均が、該患者の酸化ストレスの程度を示す値を提供する、請求項１７に記載の装置。
【請求項１９】
前記光学分析装置が多波長光吸収を測定する、請求項１７又は１８に記載の装置。
【請求項２０】
前記光学分析装置が光学的ラマン散乱及び光学的蛍光のうちの一方を測定する、請求項１７又は１８に記載の装置。
【請求項２１】
前記光源が短波長近赤外線を放射する、請求項１９又は２０に記載の装置。
【請求項２２】
前記光源が近赤外光を放射する、請求項１９又は２０に記載の装置。
【請求項２３】
前記光源がＴＨｚ帯の光を放出する、請求項１９又は２０に記載の装置。
【請求項２４】
前記光源が無線周波源である、請求項１９又は２０に記載の装置。
【請求項２５】
前記プロセッサが、前記１つ以上の酸化ストレス成分における変化を検出し、前記変化に応答して警告シグナルを発する警告モジュールを更に備える、請求項１７〜２４の何れか１項に記載の装置。
【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
シリンダヘッドとピストンの組立体であって、
前記シリンダヘッドは、
第１及び第２の丸い部分を備える凹んだ弁領域であって、第１の丸い部分が吸気弁を収容し、第２の丸い部分が排気弁を収容する弁領域と、
前記弁領域における吸気ポートと吸気弁との間で緩やかな輪郭を描く流路を有する吸気ポート通路と、
前記弁領域における排気ポートと排気弁との間で緩やかな輪郭を描く流路を有する排気ポート通路と、を備えており、
前記ピストンは、
前記シリンダヘッドの凹んだ弁領域に合致する凹んだ領域を備えている、組立体。
【請求項２】
前記第１及び第２の丸い部分は、ピーナッツ形状の凹部を形成する、請求項１に記載の組立体。
【請求項３】
更に、前記弁領域を取り囲むシリンダヘッドにおける第１の平坦領域を備えている、請求項１に記載の組立体。
【請求項４】
更に、前記凹んだ領域を取り囲む前記ピストン上の第２の平坦領域を備えている、請求項３に記載の組立体。
【請求項５】
前記第１及び第２の平坦領域は、スカッシュ領域を形成するために前記シリンダヘッドに整列されている、請求項４に記載の組立体。
【請求項６】
前記第１の平坦領域は、前記弁領域の周縁の周りに広がっている、請求項３に記載の組立体。
【請求項７】
前記第２の平坦領域は、前記凹んだ領域の周縁の周りに広がっている、請求項３に記載の組立体。
【請求項８】
前記吸気ポートは低渦ポートとして成形されている、請求項１に記載の組立体。
【請求項９】
更に、第１及び第２の点火プラグ先端を備え、前記第１の点火プラグ先端と第２の点火プラグ先端は、前記弁領域の中心軸線を横切って互いに反対にされている、請求項１に記載の組立体。
【請求項１０】
前記排気ポートは上方部分と下方部分とを備え、前記上方部分は円形形状を有しており、前記下方部分は楕円形状を有している、請求項１に記載の組立体。
【請求項１１】
航空機用エンジンのシリンダヘッドのためのオーバーホールキットであって、
前記シリンダヘッドは、
第１及び第２の丸い部分を備える凹んだ弁領域であって、第１の丸い部分が吸気弁を収容し、第２の丸い部分が排気弁を収容する弁領域と、
前記弁領域における吸気ポートと吸気弁との間で緩やかな輪郭を描く流路を有する吸気ポート通路と、
前記弁領域における排気ポートと排気弁との間で緩やかな輪郭を描く流路を有する排気ポート通路と、を備えており、
前記ピストンは、
前記シリンダヘッドの凹んだ弁領域に合致する凹んだ領域を備えている、オーバーホールキット。
【請求項１２】
前記第１及び第２の丸い部分は、ピーナッツ形状の凹部を形成する、請求項１１に記載のオーバーホールキット。
【請求項１３】
更に、前記弁領域を取り囲むシリンダヘッド上の第１の平坦領域を備えている、請求項１１に記載のオーバーホールキット。
【請求項１４】
更に、前記凹んだ領域を取り囲む前記ピストン上の第２の平坦領域を備えている、請求項１３に記載のオーバーホールキット。
【請求項１５】
前記第１及び第２の平坦領域は、スカッシュ領域を形成するために前記シリンダヘッドに整列されている、請求項１４に記載のオーバーホールキット。
【請求項１６】
前記第１の平坦領域は、前記弁領域の周縁の周りに広がっている、請求項１３に記載のオーバーホールキット。
【請求項１７】
前記第２の平坦領域は、前記凹んだ領域の周縁の周りに広がっている、請求項１４に記載のオーバーホールキット。
【請求項１８】
更に、第１及び第２の点火プラグ穴を備え、前記第１の点火プラグ穴と第２の点火プラグ穴は、前記弁領域のくびれ部の反対に配置されている、請求項１１に記載のオーバーホールキット。
【請求項１９】
前記排気ポートは上方部分と下方部分とを備え、前記上方部分は円形形状を有しており、前記下方部分は楕円形状を有している、請求項１１に記載のオーバーホールキット。
【請求項２０】
改良されたシリンダヘッドを製造するための方法であって、その方法は、
ピーナッツ形状の凹部を有する燃焼室をシリンダヘッドに形成する段階であって、その凹部がくびれ部によって結合された第１及び第２の丸い部分とを含んでいる、シリンダヘッド形成段階と、
前記燃焼室を取り囲むスカッシュ領域を前記シリンダヘッドに形成する段階と、
吸気弁に隣接する第１点火プラグ位置に第１の点火プラグ穴を配置する段階と、
排気弁に隣接し且つ前記第１の点火プラグ位置に関してくびれ部の反対側の第２点火プラグ位置に、第２の点火プラグ穴を配置する段階と、
前記シリンダヘッドに平滑で緩やかな輪郭を描く吸気及び排気ポート通路であって、吸気弁と排気弁のそれぞれ１つを受入れるように構成された各ポート通路を提供する段階と、
前記シリンダヘッドに平坦な床を有する排気ポートを形成する段階と、
を含む方法。
【手続補正書】
【提出日】平成21年2月10日(2009.2.10)
【手続補正１】
【補正対象書類名】特許請求の範囲
【補正対象項目名】請求項２８
【補正方法】変更
【補正の内容】
【請求項２８】
前記アクチュエータは、当該アクチュエータの本体から延在する出力軸であって前記第１のアームの前記少なくとも１つの連結手段と摩擦接触する出力軸を具備することを特徴とする請求項２６に記載の装置。
【手続補正２】
【補正対象書類名】明細書
【補正対象項目名】００７２
【補正方法】変更
【補正の内容】
【００７２】
図６は、第１の終端位置にある第１のアーム８を示し、図７は、第２の終端位置にある第１のアーム８を示す。この終端位置間の移行は、第１のアーム８が回転することによって実現する。これらの図から分かるように、第１のアーム８の運動は、筐体３５の通過領域を通過する湾曲部５２の各部の運動が、その位置で直線運動と見なすことができるような運動である。したがって、筐体３５の開口部３６は、湾曲部５２の（最大）断面に対応する寸法を有してもよい。
【手続補正書】
【提出日】平成21年1月26日(2009.1.26)
【手続補正１】
【補正対象書類名】特許請求の範囲
【補正対象項目名】全文
【補正方法】変更
【補正の内容】
【特許請求の範囲】
【請求項１】
導管の壁とフィッティングの係合面との間に高いグリッピング圧力の接触ゾーンを形成するように該導管が該フィッティングに接合されたユニオンであって、
該接触ゾーンは、該導管の該壁に形成された最も高い応力の領域の外側にあり、
オープン体積が、この接触ゾーンに隣接して、該ユニオン中に形成され、
該フィッティングは、このオープン体積のうちの少なくとも一部に多量の液体潤滑剤を含む、ユニオン。
【請求項２】
液体潤滑剤は、前記ユニオンの１つ以上の構成要素に塗布され、その結果として、プルアップのときに、液体潤滑剤は、この接触ゾーンの少なくとも一部において、前記導管の前記壁と前記フィッティングの前記係合面との間に存在する、請求項１に記載のユニオン。
【請求項３】
前記接触ゾーンは、最も高い応力の前記領域に隣接しており、さらには、前記オープン体積は、該接触ゾーンに隣接している、請求項２に記載のユニオン。
【請求項４】
前記ユニオンの前記フィッティングは、食い込み型（ｂｉｔｅ−ｔｙｐｅ）のフィッティングである、請求項３に記載のユニオン。
【請求項５】
前記ユニオンの前記フィッティングは、コレッティング変形グリップ型（ｃｏｌｌｅｔｉｎｇ  ｄｅｆｏｒｍａｔｉｏｎ  ｇｒｉｐ−ｔｙｐｅ）のフィッティングである、請求項３に記載のユニオン。
【請求項６】
前記コレッティング変形グリップ型のフィッティングは、前部フェルールと後部フェルールとを有する２つのフェルールのフィッティングであり、
該後部フェルールは、前記導管の前記壁に係合することによって、プルアップの後に該導管の該壁において最も高い応力の前記領域を形成するノーズを有し、
接触ゾーンが、該後部フェルールによって形成され、
該後部フェルールおよび該導管は、プルアップの後に該接触ゾーンの外側に輪形隙間を定義し、
この輪形隙間は、多量の潤滑剤を含んでいる、請求項５に記載のユニオン。
【請求項７】
前記潤滑剤は、ミネラルオイル、コールタールまたは頁岩から得られたオイル、植物油、動物油、水素化分解されたオイル、合成オイルまたはこれらの混合物を含む、請求項１に記載のユニオン。
【請求項８】
前記潤滑剤は、水素異性化パラフィン、ポリアルファオレフィン、ポリブテン、アルキルベンゼン、ポリグリコール、二塩基性カルボン酸エステルのポリエステル、アルキレンオキサイドポリマー、シリコンオイルおよびこれらの混合物から成る群から選択された合成オイルである、請求項７に記載のユニオン。
【請求項９】
前記潤滑剤は、石油に由来するベースオイルから作られる、請求項８に記載のユニオン。
【請求項１０】
前記石油に由来するベースオイルは、少なくとも約７０ｗｔ．％のパラフィンを含む、請求項９に記載のユニオン。
【請求項１１】
前記オープン体積の実質的な量が、前記潤滑剤で満たされる、請求項１に記載のユニオン。
【請求項１２】
前記オープン体積の大部分が、前記潤滑剤で満たされる、請求項１に記載のユニオン。
【請求項１３】
前記オープン体積の全てが、前記潤滑剤で満たされる、請求項１に記載のユニオン。
【請求項１４】
前記オープン体積が、前記フィッティングのフェルールと前記導管との間に形成される、請求項１に記載のユニオン。
【請求項１５】
前記オープン体積の実質的な量が、前記潤滑剤で満たされる、請求項１４に記載のユニオン。
【請求項１６】
前記オープン体積の大部分が、前記潤滑剤で満たされる、請求項１４に記載のユニオン。
【請求項１７】
前記オープン体積の全てが、前記潤滑剤で満たされる、請求項１４に記載のユニオン。
【請求項１８】
導管の壁とフィッティングの係合面との間に高いグリッピング圧力の接触ゾーンを形成するように該導管が該フィッティングと接合されたユニオンであって、
該接触ゾーンは、該導管の該壁に形成された最も高い応力の領域の外側にあり、
オープン体積が、この接触ゾーンに隣接して、該ユニオン中に形成され、
該フィッティングは、このオープン体積に十分な液体潤滑剤を含み、その結果なにも潤滑剤を含んでいないがその他においては同一のユニオンに対して少なくとも２倍、該ユニオンの疲労サイクル寿命が増加される、ユニオン。
【請求項１９】
導管とフィッティングとの間のユニオンの疲労サイクル寿命を増加させるプロセスであって、
高いグリッピング圧力の接触ゾーンが、プルアップのときに、該導管の壁と該フィッティングの係合面との間に作成され、
この接触ゾーンは、該導管の該壁に形成された最も高い応力の領域の外側にあり、
オープン体積が、この接触ゾーンに隣接して、該ユニオン中に形成され、
該プロセスは、このオープン体積のうちの少なくとも一部に多量の液体潤滑剤を含ませることを包含する、プロセス。
【請求項２０】
前記オープン体積の実質的な量が、前記潤滑剤で満たされる、請求項１９に記載のプロセス。
【請求項２１】
前記オープン体積の大部分が、前記潤滑剤で満たされる、請求項１９に記載のプロセス。
【請求項２２】
前記オープン体積の全てが、前記潤滑剤で満たされる、請求項１９に記載のプロセス。
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
風力タービン翼（５）又は風力タービン翼（５）の一部分を製造する方法であって、
少なくとも１つの第１固定ユニット（１０）内に少なくとも１つの第１風力タービン翼部品（９）を有する少なくとも１つの第１部品（８）を設ける工程と、
少なくとも１つの第２固定ユニット（１３）内に少なくとも１つの第２風力タービン翼部品（１２）を有する少なくとも１つの第２部品（１１）を設ける工程と、
前記少なくとも１つの第１部品（８）を前記少なくとも１つの第２部品（１１）と接触状態又はその近傍に位置付ける工程と、
大気圧より低い圧力を発生させ、それによって、前記少なくとも１つの第１風力タービン翼部品（９）及び前記少なくとも１つの第２風力タービン翼部品（１２）を互いに押し付け合わせ、且つ／又は前記第１風力タービン翼部品及び前記第２風力タービン翼部品の少なくとも１つを少なくとも１つの他のものに押し付ける工程と
を含むことを特徴とする風力タービン翼又は風力タービン翼の一部分を製造する方法。
【請求項２】
前記大気圧より低い圧力は、前記少なくとも１つの第１部品（８）及び前記少なくとも１つの第２部品（１１）によって形成される少なくとも１つの空洞（１４ａ、１４ｂ、１４ｃ、１４ｄ）の内部に発生させられることを特徴とする請求項１に記載の風力タービン翼又は風力タービン翼の一部分を製造する方法。
【請求項３】
前記少なくとも１つの空洞（１４ａ、１４ｂ）は、前記少なくとも１つの第１固定ユニット（１０）及び前記少なくとも１つの第２固定ユニット（１３）によって完全に又は部分的に形成されることを特徴とする請求項２に記載の風力タービン翼又は風力タービン翼の一部分を製造する方法。
【請求項４】
前記少なくとも１つの空洞（１４ａ）は、前記少なくとも１つの第１固定ユニット（１０）及び前記少なくとも１つの第２固定ユニット（１３）の、前記少なくとも１つの第１風力タービン翼部品（９）及び前記少なくとも１つの第２風力タービン翼部品（１２）を包囲する部分によって形成されることを特徴とする請求項３に記載の風力タービン翼又は風力タービン翼の一部分を製造する方法。
【請求項５】
前記少なくとも１つの空洞（１４ｃ、１４ｄ）は、前記少なくとも１つの第１風力タービン翼部品（９）及び前記少なくとも１つの第２風力タービン翼部品（１２）によって形成されることを特徴とする請求項２に記載の風力タービン翼又は風力タービン翼の一部分を製造する方法。
【請求項６】
前記大気圧より低い圧力は、前記風力タービン翼部品（９、１２）の長手方向の広がりの全体にわたって中断しないで伝わる圧縮力を与えることを特徴とする請求項１乃至５のいずれか一項に記載の風力タービン翼又は風力タービン翼の一部分を製造する方法。
【請求項７】
少なくとも１つの第１風力タービン翼部品（９）を固定するようになっている少なくとも１つの第１固定ユニット（１０）を有する少なくとも１つの第１部品（８）と、
少なくとも１つの第２風力タービン翼部品（１２）を固定するようになっている少なくとも１つの第２固定ユニット（１３）を有する少なくとも１つの第２部品（１１）と、
前記少なくとも１つの第１部品（８）を前記少なくとも１つの第２部品（１１）と接触状態又はその近傍に位置付ける手段と
を備える風力タービン翼製造設備であって、
大気圧より低い圧力を発生させ、それによって、前記少なくとも１つの第１風力タービン翼部品（９）及び前記少なくとも１つの第２風力タービン翼部品（１２）を互いに押し付け合わせ、且つ／又は前記風力タービン翼部品（９、１２）の少なくとも１つを少なくとも１つの他のものに押し付ける手段をさらに備えることを特徴とする風力タービン翼製造設備。
【請求項８】
前記少なくとも１つの第１部品（８）及び前記少なくとも１つの第２部品（１１）は、互いに接触状態又は近傍に位置付けられたときに、少なくとも１つの空洞（１４ａ、１４ｂ、１４ｃ、１４ｄ）を形成することを特徴とする請求項７に記載の風力タービン翼製造設備。
【請求項９】
前記少なくとも１つの第１固定ユニット（１０）及び前記少なくとも１つの第２固定ユニット（１３）は、互いに接触状態又は近傍に位置付けられたときに、少なくとも１つの空洞（１４ａ、１４ｂ）を完全に又は部分的に形成することを特徴とする請求項８に記載の風力タービン翼製造設備。
【請求項１０】
前記少なくとも１つの空洞（１４ａ、１４ｂ）は、前記風力タービン翼部品（９、１２）の長手方向の広がりのほぼ全体にわたって延在することを特徴とする請求項９に記載の風力タービン翼製造設備。
【請求項１１】
前記少なくとも１つの空洞（１４ｂ）は、前記風力タービン翼部品（９、１２）の、たとえば前縁（１７）のそばの少なくとも１つの接合部（６）に沿って、また後縁（１８）のそばの少なくとも１つの接合部（６）に沿って延在する少なくとも２つの個別の空洞（１４ｂ）であることを特徴とする請求項１０に記載の風力タービン翼製造設備。
【請求項１２】
前記少なくとも１つの空洞（１４ａ）は、前記少なくとも１つの第１固定ユニット（１０）及び前記少なくとも１つの第２固定ユニット（１３）の、前記少なくとも１つの第１風力タービン翼部品（９）及び前記少なくとも１つの第２風力タービン翼部品（１２）を包囲する部分によって形成されることを特徴とする請求項９に記載の風力タービン翼製造設備。
【請求項１３】
前記少なくとも１つの空洞（１４ｃ、１４ｄ）は、前記少なくとも１つの第１風力タービン翼部品（９）及び前記少なくとも１つの第２風力タービン翼部品（１２）によって形成されることを特徴とする請求項８に記載の風力タービン翼製造設備。
【請求項１４】
風力タービン翼（５）であって、請求項１乃至６のいずれか一項に記載の方法を使用して製造される風力タービン翼。
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
円筒状の複合容器壁及び丸い複合容器端部からなる複合容器本体と、
アキュムレーター外部の流体源と連通するために、容器本体の一側端部内に配置された密閉可能な流体口と、
容器本体内に配置され円筒状複合容器壁と実質的に同心状の円筒状非透過性スリーブと、
前記スリーブ内を圧力下で圧縮するのに適したガスを含む第一のチャンバーと密閉可能な流体口及び円筒状非透過性スリーブと円筒状容器壁との間の挟まれた容積と連通する加圧流体を含む第二のチャンバーとに分離する円筒状非透過スリーブ内にスライド可能に配置されたピストンとを備えたアキュムレーター。
【請求項２】
円筒状非透過性スリーブは、容器壁の半径方向の動きとは独立に配置されるように構成されている請求項１記載のアキュムレーター。
【請求項３】
円筒状非透過性スリーブは、さらに耐屈曲疲労性のドーム端部からなる請求項２記載のアキュムレーター。
【請求項４】
円筒状非透過性スリーブは、薄い非金属性材料で形成されている請求項２記載のアキュムレーター。
【請求項５】
最小滑り間隔が、円筒状非透過性スリーブと容器壁の間で設けられている請求項４記載のアキュムレーター。
【請求項６】
円筒状非透過性スリーブは変形可能な材料で形成され、ピストンは円形成形ピストンである請求項４記載のアキュムレーター。
【請求項７】
第一のチャンバーは、さらに泡状物質を含む請求項１記載のアキュムレーター。
【請求項８】
さらに容器本体の内側に直接隣接して耐疲労性のプラスチックライナーを備える請求項１記載のアキュムレーター。
【請求項９】
さらに容器本体の第二の端部内に位置する充填ガス注入孔を備える請求項１記載のアキュムレーター。
【請求項１０】
複合容器本体は、高圧でガス透過性である請求項１記載のアキュムレーター。
【請求項１１】
さらに第一のチャンバーと第二のチャンバーとの間にポテンシャル伝達を最小化するために、ピストン上に第一の環状シールを備える請求項１記載のアキュムレーター。
【請求項１２】
さらに第一のチャンバーと第二のチャンバーとの間にポテンシャル伝達を除去するために、ピストン上に第二の環状シールを備える請求項１１記載のアキュムレーター。
【請求項１３】
さらに第一の環状シールと第二の環状シールとの間に圧力を平衡させるための圧力平衡手段を備える請求項１２記載のアキュムレーター。
【請求項１４】
さらに第一の環状シールと第二のチャンバーとの間に双方とも位置して、ピストン上に２つの環状ベアリングを備える請求項１１記載のアキュムレーター。
【請求項１５】
車体フレームと、
車体フレームに回転可能に搭載された駆動輪と、
車を運転するための第一の動力源となる車体フレームに搭載された主動力源と、
少なくとも主動力源によって供給された動力の一部を受け取り、その部分の動力を加圧流体の形で貯蔵可能なエネルギーに変換するように構成されている車体フレームに搭載されたポンプと、
ポンプから加圧流体を受け取り、車の運転中に使用するために、加圧流体からエネルギーを貯蔵するように構成されている車体フレームに搭載されたピストン内蔵スリーブ型アキュムレーターとを備え、
前記ピストン内蔵スリーブ型アキュムレーターは、円筒状の容器壁を有する複合容器本体と、アキュムレーター内へ又はアキュムレーターから加圧流体を移送するための容器本体内に配置された密閉可能な流体口と、容器本体内に同心状に配置された円筒状スリーブと、スリーブの内部を加圧下で圧縮するのに適したガスを含む第一のチャンバーと加圧流体を含む第二のチャンバーとに分離するスリーブ内にスライド可能に配置されたピストンとを備え、
ピストン内蔵スリーブ型アキュムレーターから加圧流体を受け取り、車の運転中に動力を供給するために加圧流体からエネルギーを用いるように構成されている車体フレームに搭載された油圧モーターと、油圧モーターから回転用駆動輪に動力を伝達するための機械的接続部とを備えた油圧ハイブリッド車。
【請求項１６】
ピストン内蔵スリーブ型アキュムレーターの容器本体は、２つの丸い複合容器端部を有する請求項１５記載の油圧ハイブリッド車。
【請求項１７】
アキュムレーターのスリーブは、圧力下でガス非透過性である請求項１５記載の油圧ハイブリッド車。
【請求項１８】
アキュムレーターの第二のチャンバー内の加圧流体は、スリーブとアキュムレーターの円筒状容器壁の間の挟まれた容積と連通した状態にある請求項１５記載の油圧ハイブリッド車。
【請求項１９】
ピストン内蔵スリーブ型アキュムレーターの容器本体内で流体口を通じて、ピストン内蔵スリーブ型アキュムレーター内に低圧流体を導入し、それにより第二のチャンバーとピストン内蔵スリーブ型アキュムレーターの内部ピストンスリーブと容器壁の間の間隙空間を流体で満たすステップと、
ピストン内蔵スリーブ型アキュムレーターの第一のチャンバーをアキュムレーターの容器本体内で充填口を通じて圧縮ガスで満たし、事前に決定されたレベルまで低下している第二のチャンバー内の流体に応じて流体口を密閉させるステップと、
充填口を密閉するステップとを備える高圧ピストン内蔵スリーブ型アキュムレーターを使用可能状態とするために予充填する方法。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
所定のしきい値より上の回転スピードにおいて駆動軸が被駆動部材と結合する遠心クラッチであって、
前記遠心クラッチは、
一端に塊状の拡大体（massive enlargement）と、第１の結合用形成体と、を有する遠心スライダーと、
前記遠心スライダーを支持する形態で形成されたフレームであって、前記遠心スライダーが拡大された直径の位置と縮小された直径の位置との間で滑動することを抑制し、当該フレームの滑動の軸と直角な軸によって、前記遠心スライダーによって駆動されるべき前記駆動軸に固定的にフィットするよう形成体（formation）に形成されたフレームと、
前記駆動軸上で自由に回転するように装着可能で、使用時において前記駆動部材との係合を駆動するように形成され、そして前記遠心スライダーが拡大位置にあるときにのみ前記第１の結合用形成体と駆動的に接続する第２の結合用形成体によって形成された出力駆動部材と、
前記遠心スライダーをその縮小位置の方へ偏らせる手段（means for biasing）と、
を有し、
それにより、前記遠心スライダーと前記フレームの回転によって前記塊状の拡大体が前記スライダーをその前記縮小された直径の位置から前記拡大された直径の位置に直径方向に引き寄せることにより前記第１の結合用形成体と前記第２の結合用形成体とを相互に係合させることで回転運動を前記駆動軸から前記出力結合ギヤへ伝達させ、前記回転が停止したときには前記偏らせる手段が非係合とすることで前記駆動軸を前記出力結合ギヤから非結合とする、遠心クラッチにおいて、
前記フレームと前記スライダーは前記駆動シャフト軸上でフライホイールを構成するために協働し、前記遠心スライダーがその拡大された直径の位置にあるときにのみ、前記遠心クラッチの慣性中心が同軸上にあって、その回転は前記クラッチが係合したときに完全に釣り合いが取れることを特徴とする、
遠心クラッチ。
【手続補正書】
【提出日】平成20年12月4日(2008.12.4)
【手続補正１】
【補正対象書類名】特許請求の範囲
【補正対象項目名】請求項９
【補正方法】変更
【補正の内容】
【請求項９】
サイクロン式膨張装置がノズルを備え、該サイクロン式膨張装置のノズルにおける膨張の等エントロピー効率が少なくとも８０％である請求項１に記載の方法。
【手続補正２】
【補正対象書類名】特許請求の範囲
【補正対象項目名】請求項１０
【補正方法】変更
【補正の内容】
【請求項１０】
魚雷形本体、渦巻き付与性羽根アッセンブリー及びノズルが、ノズルにおける膨張の等エントロピー効率が少なくとも８０％となるよう構成される請求項４に記載のシステム。
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
以下:
-  哺乳動物個体(患者)から得られた生物学的試料内およびコントロール試料内のTKTL1タンパク質の活性および／または濃度および／または細胞局在化および／または凝集状態および／または二量体化状態を測定すること
-  前記個体(患者)の前記試料から得られた測定データを、コントロール試料から得られたデータと比較すること、
-  ならびに (i)コントロール試料と比較した個体の前記試料中のTKTL1タンパク質の活性および／または濃度の増強または低減されたレベルを、それぞれ、
哺乳動物好気的グルコース発酵代謝経路の増強もしくは低減された使用の程度の表示、および(ii)コントロール試料と比較した個体の前記試料中のTKTL1タンパク質の異常な細胞局在化および／または異常な凝集状態および／または異常な二量体化状態を、異常な哺乳動物好気的グルコース発酵代謝経路の表示とみなすこと
を行うことを特徴とする、哺乳動物個体(患者)における哺乳動物好気的グルコース発酵代謝経路(mam-aGF)の使用の程度および正確なプロセスフローの定性的および定量的検出のための指示体および標的分子としての酵素TKTL1の使用。
【請求項２】
増強もしくは低減された、および／または異常な哺乳動物好気的グルコース発酵代謝経路と関連する疾患を検出およびモニタリングする、請求項１記載の使用。
【請求項３】
インビボまたはインビトロ分子画像化法の過程で行われることを特徴とする、請求項１または２記載の使用。
【請求項４】
生物学的試料が、組織試料、生検材料、体液、分泌物、スメア、血清、尿、精液、糞便、胆汁、細胞含有液、溶解細胞、細胞残屑、ペプチドまたは核酸である、請求項１〜３いずれか記載の使用。
【請求項５】
測定が、タンパク質レベルで、すなわち、標的としてTKTL1タンパク質またはTKTL1タンパク質断片を用いて行なわれる、請求項４記載の使用。
【請求項６】
タンパク質レベルの測定が、TKTL1タンパク質に特異的に結合する分子を用いることにより行なわれる、請求項５記載の使用。
【請求項７】
前記分子が、TKTL1に指向される抗体もしくはかかる抗TKTL1抗体の断片または抗原結合エピトープを含むペプチド模倣物、あるいはミニ抗体である、請求項６記載の使用。
【請求項８】
測定が、核酸レベルで、すなわち、標的としてTKTL1遺伝子もしくはTKTL1 mRNAまたはその断片を用いて行なわれる、請求項４記載の使用。
【請求項９】
TKTL1遺伝子またはTKTL1 mRNAにハイブリダイズできる少なくとも１つの核酸プローブが測定に使用される、請求項８記載の使用。
【請求項１０】
TKTL1核酸またはその断片を含むキメラ核酸が測定に使用される、請求項８または９記載の使用。
【請求項１１】
哺乳動物好気的グルコース発酵代謝経路の抑制または活性化のための医薬組成物の製造のための、酵素TKTL1の活性または濃度のインヒビターまたはアクチベーターの使用。
【請求項１２】
インヒビターが、オキシチアミン、ベンフォオキシチアミン (=オキシベンフォチアミン)、ヒドロキシピルビン酸、ピルビン酸、p-ヒドロキシフェニルピルビン酸、ピリチアミン、アンプロリウム、2-メチルチアミン、2-メトキシ-p-ベンゾキノン (2-MBQ)および2,6-ジメトキシ-p-ベンゾキノン (2,6-DMBQ)、ゲニステイン、ならびに、例えば、ケルセチン、カテキン類、ニトリロシド類、アントシアニン類などのフラボノール類; ならびにその誘導体からなる群より選択される、請求項１１記載の使用。
【請求項１３】
前記アクチベーターが、チアミンもしくはベンフォチアミンまたはその機能的に等価な誘導体である、請求項１１記載の使用。
【請求項１４】
栄養組成物または食事サプリメントの製造のための、酵素TKTL1の活性または濃度のインヒビターまたはアクチベーターの使用。
【請求項１５】
インヒビターが、オキシチアミン、ベンフォオキシチアミン (=オキシベンフォチアミン)、ヒドロキシピルビン酸、ピルビン酸、p-ヒドロキシフェニルピルビン酸、ピリチアミン、アンプロリウム、2-メチルチアミン、2-メトキシ-p-ベンゾキノン (2-MBQ)および2,6-ジメトキシ-p-ベンゾキノン (2,6-DMBQ)、ゲニステイン、ならびに、例えば、ケルセチン、カテキン類、ニトリロシド類、アントシアニン類などのフラボノール類; ならびにその誘導体からなる群より選択される、請求項１４記載の使用。
【請求項１６】
前記アクチベーターが、チアミンもしくはベンフォチアミンまたはその誘導体である、請求項１４記載の使用。
【手続補正書】
【提出日】平成20年12月25日(2008.12.25)
【手続補正１】
【補正対象書類名】特許請求の範囲
【補正対象項目名】全文
【補正方法】変更
【補正の内容】
【特許請求の範囲】
【請求項１】
特に布張りクッション、マットレス等に使用されるパッド用バネ装置であって、複数の隣接するパッド用バネ素子（２）を備え、パッド用バネ素子（２）を、可撓性の連結ユニット（５）により、互いに連結して共通ユニット化し、前記各パッド用バネ素子（２）は第１のバネ部（３）と第２のバネ部（４）から構成され、前記第１のバネ部（３）と第２のバネ部（４）はいずれも、片側にバネ本体（６）を反対側に支持板（７）を備え、前記バネ本体（６）と前記支持板（７）はプラスチック製であり一体成形されていて、前記バネ本体（６）は前記支持板（７）から円錐状の先細り形状で形成されている、パッド用バネ装置。
【請求項２】
前記バネ本体（６）は１つのコイルバネアームを少なくとも備えることを特徴とする請求項１に記載のパッド用バネ装置。
【請求項３】
前記連結ユニット（５）はマットの形態であることを特徴とする請求項１に記載のパッド用バネ装置。
【請求項４】
前記連結ユニット（５）は有孔フィルムであることを特徴とする請求項３に記載のパッド用バネ装置。
【請求項５】
前記連結ユニット（５）は格子又は網の形態であることを特徴とする請求項３に記載のパッド用バネ装置。
【請求項６】
前記連結ユニット（５）は薄手の織物で構成されることを特徴とする請求項３に記載のパッド用バネ装置。
【請求項７】
前記連結ユニット（５）はプラスチック製又はプラスチック被覆マット製であることを特徴とする請求項３に記載のパッド用バネ装置。
【請求項８】
前記連結ユニット（５）はガラス繊維製であることを特徴とする請求項３に記載のパッド用バネ装置。
【請求項９】
前記連結ユニット（５）は断熱フィルム製であることを特徴とする請求項３に記載のパッド用バネ装置。
【請求項１０】
前記パッド用バネ素子（２）は前記連結ユニット（５）に縫い付けられることを特徴とする請求項１に記載のパッド用バネ装置。
【請求項１１】
請求項１乃至１０のいずれか１項に記載のパッド用バネ装置を備えることを特徴とする、特に布張りクッション、マットレス等に使用されるパッド素子。
【請求項１２】
前記パッド用バネ装置（１）を収容するために、好適には、少なくとも部分的に発泡材からなる収容器（２１）を備える請求項１１に記載のパッド素子。
【請求項１３】
前記パッド用バネ装置（１）を前記収容器（２１）に固定したことを特徴とする請求項１２に記載のパッド素子。
【請求項１４】
前記パッド用バネ装置（１）の連結ユニット（５）を前記収容器（２１）に固定したことを特徴とする請求項１２に記載のパッド素子。
【請求項１５】
前記連結ユニット（５）を前記収容器（２１）に接着したことを特徴とする請求項１４に記載のパッド素子。
【請求項１６】
前記収容器（２１）は、第１及び第２のカバー（１５、１６）と、その間に置いた環状部（１７）で構成されることを特徴とする請求項１２に記載のパッド素子。
【請求項１７】
請求項１乃至１０のいずれか１項に記載のパッド用バネ装置（１）を備えることを特徴とする、特に病床及び／又は介護ベッドである、ベッド。
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
角膜インプラントを届けるためのシステムであって、該システムは、
近位端および角膜内のポケットの中に挿入するために構成された遠位端を有し、軸方向中空通路を有する中空部材と、
該中空部材の該中空軸方向通路に配置された軸方向プッシャであって、拘束された角膜インプラントを係合し、該中空通路を介して該角膜インプラントを軸方向に進める、軸方向プッシャと
を備える、システム。
【請求項２】
前記軸方向プッシャの遠位側の前記中空通路内で拘束される角膜インプラントをさらに備える、請求項１に記載のシステム。
【請求項３】
前記軸方向プッシャは、遠位方向に、テーパされている、請求項１または２に記載のシステム。
【請求項４】
前記軸方向プッシャは、前記テーパされた中空通路を介して、遠位に進むにつれて、直径が縮小するように、変形可能である、請求項３に記載のシステム。
【請求項５】
前記中空部材に結合されたインプラント変形チャンバをさらに備える、請求項１〜４のいずれか１項に記載のシステム。
【請求項６】
請求項１〜５のいずれか１項に記載のシステムによって届けられるための角膜インプラントであって、少なくとも部分的にリムによって囲まれた突出する中央光学素子を備える、角膜インプラント。
【請求項７】
前記中央光学素子は、前記リムから前方に延びる、請求項６に記載の角膜インプラント。
【請求項８】
前記中央光学素子は、前記インプラントから後方に延びる、請求項６に記載の角膜インプラント。
【請求項９】
請求項１〜５のいずれか１項に記載のシステムによって届けられるための角膜インプラントであって、少なくとも２つのピースを備え、該少なくとも２つのピースは、角膜ポケット内でアセンブリされ得、機能角膜インプラントを形成する、角膜インプラント。
【請求項１０】
前記インプラントは、シロキサンポリマ、アクリルポリマ、コラーゲンポリマ、およびポリメタクリル酸とメタクリル酸ヒドロキシエチルの共重合体（ＰＨＥＭＡ／ＭＡＡ）から選択される材料からなる、請求項６または７に記載の角膜インプラント。
【請求項１１】
前記インプラントは、フィブロネクチン、ラミニン、Ｐ物質、インスリン様増殖因子１、またはフィブロネクチン接着促進ペプチド（ＦＡＰ）のようなペプチド配列からなる群から選択される材料と結合される、請求項６〜１０のいずれか１項に記載のインプラント。
【請求項１２】
少なくとも一部分は、着色されている、請求項６〜１１のいずれか１項に記載の角膜インプラント。
【請求項１３】
前記インプラントの少なくも一部分は、レンズである、請求項６〜１２のいずれか１項に記載の角膜インプラント。
【請求項１４】
前記レンズは、単焦点、多焦点、フレネル、回折、プリズム、および電磁波調整可能からなる群から選択されるタイプからなる、請求項１３に記載の角膜インプラント。
【請求項１５】
前記角膜インプラントは、ベンゾフェノンを含む紫外線フィルタを含む、請求項６〜１４のいずれか１項に記載の角膜インプラント。
【請求項１６】
前記インプラントの少なくとも一部分は、穴を有するか、あるいは多孔性である、請求項６〜１５のいずれか１項に記載の角膜レンズインプラント。
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
リンゴ酸、アスパラギン酸、アスコルビン酸、コハク酸、焦性ブドウ酸、フマル酸、グルコン酸、α−ケトグルタル酸、シュウ酸、ピログルタミン酸、３−ニコチン酸、乳酸、クエン酸、マレイン酸、硫酸、酢酸、ギ酸、２−ヒドロキシ安息香酸、Ｌ−カルニチン、アセチル−Ｌ−カルニチン、タウリン、ベタイン、コリン、メチオニン及びリポ酸との、並びにグアニジノ酢酸ナトリウム、グアニジノ酢酸カリウム又はグアニジノ酢酸カルシウムとしての、グアニジノ酢酸の塩及び／又は付加化合物及び／又は錯化合物。
【請求項２】
有効成分としての請求項１記載のグアニジノ酢酸の少なくとも１つの塩及び／又は付加化合物又は／及び錯化合物を含有している組成物を含有する、飼料、栄養補助食品又は医学分野における薬剤。
【請求項３】
特に粉末、グラニュール、トローチ、カプセル、ペレット、溶液、ジュース又はゼリー製品の形での、請求項２記載の飼料、栄養補助食品又は医学分野における薬剤。
【請求項４】
炭水化物、脂肪、アミノ酸、タンパク質、ビタミン、無機質、微量元素及びそれらの誘導体の系列のその他の生理学的に活性な作用物質及びこれらからなる混合物との組合せでの、請求項３記載の飼料、栄養補助食品又は医学分野における薬剤。
【請求項５】
０．００１〜１g/kg体重の一回量での請求項３又は４のいずれか１項に記載の飼料、栄養補助食品又は医学分野における薬剤。
【請求項６】
０．００１〜５０gの一日量での請求項３から５までのいずれか１項記載の飼料、栄養補助食品又は医学分野における薬剤。
【請求項７】
請求項１記載のグアニジノ酢酸の少なくとも１つの塩及び／又は付加化合物及び／又は錯化合物を含有している組成物を含有する、ヒト用の、好ましくは学校分野、スポーツ分野、回復期分野及び／又は老年学分野における、栄養補助食品。
【請求項８】
請求項１記載のグアニジノ酢酸の少なくとも１つの塩及び／又は付加化合物及び／又は錯化合物を含有している組成物を、例えばクリーム、ローション、スプレー、ムース、水性又は水性−エタノール性溶液、クロス用の含浸媒体、水不含又は水含有のクレヨン又はマイクロエマルションとして含有する、特に局所使用分野での、化粧製剤又は皮膚用製剤。
【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
先端を有する中空針を取り囲むと共に、注射器への取り付けのためのコネクタを有するハブと、
摺動可能スリーブであって、前記針が当該スリーブによって完全に又は部分的に覆われる第１の位置から前記針が露出される第２の位置への第１の長手方向、及び前記第２の位置から前記針が当該スリーブによって完全に覆われる第３の位置への第２の長手方向に、前記針上を摺動するように構成された摺動可能スリーブと、
前記中空針、前記ハブ及び前記摺動可能スリーブを取り囲むと共に、前記針を覆う閉鎖端部と前記ハブの前記コネクタを露出させる開放端部とを有するパックと、
を有する安全針アクセサリであって、
更に、前記ハブの前記コネクタに取り付けられた第１のシールと、前記ハブと前記パックとの間の第２のシールと、前記パックの前記閉鎖端部と前記針の先端との間の第３のシールと、を有し、少なくとも前記第２のシールと前記第３のシールは、ガス透過性でバクテリア及び発熱物質の通過を防止する弾性シールであることを特徴とする安全針アクセサリ。
【請求項２】
前記第１のシールは弾性シールであることを特徴とする請求項１に記載の安全針アクセサリ。
【請求項３】
前記パックの前記閉鎖端部は１個以上の穴を有することを特徴とする請求項１又は２に記載の安全針アクセサリ。
【請求項４】
前記ガス透過性材料はイソブチルゴムであることを特徴とする請求項１〜３のいずれかの項に記載の安全針アクセサリ。
【請求項５】
前記第１のシール及び前記第２のシールは、弾性シールであり、相互に接触していることを特徴とする請求項１〜４のいずれかの項に記載の安全針アクセサリ。
【請求項６】
前記第１のシール及び前記第２のシールは、弾性シールであり、単一構造を構成することを特徴とする請求項１〜５のいずれかの項に記載の安全針アクセサリ。
【請求項７】
前記第１のシール及び／又は前記第２のシールは、弾性シールであり、前記ハブ上に同時射出成形されることを特徴とする請求項１〜６のいずれかの項に記載の安全針アクセサリ。
【請求項８】
前記第１のシール及び／又は前記第２のシールは、低密度ポリエチレン又はゴムで構成されることを特徴とする請求項１〜７のいずれかの項に記載の安全針アクセサリ。
【請求項９】
前記第１のシールは接着剤であることを特徴とする請求項１に記載の安全針アクセサリ。
【請求項１０】
前記パックは、実質的に管状であることを特徴とする請求項１〜９のいずれかの項に記載の安全針アクセサリ。
【請求項１１】
前記パックの前記開放端部は解放可能な膜又はキャップによって覆われることを特徴とする請求項１〜１０のいずれかの項に記載の安全針アクセサリ。
【請求項１２】
前記摺動可能スリーブは、弾性的に変形可能な部分を有し、及び／又は更に弾性的に変形可能な部材を有し、これにより前記摺動可能スリーブが前記第１の方向に移動させられるときに、前記変形可能な部分又は前記変形可能な部材内に合力が発生され、該合力が、前記針が患者から除去されたときに、前記摺動可能スリーブを前記第２の方向に移動させることを特徴とする請求項１〜１１のいずれかの項に記載の安全針アクセサリ。
【請求項１３】
更に、前記針が患者から除去された後に前記摺動可能スリーブを前記第３の位置に保持することができるロック機構を有することを特徴とする請求項１〜１２のいずれかの項に記載の安全針アクセサリ。
【請求項１４】
前記針は、前記第１の位置において部分的に露出されることを特徴とする請求項１〜１３のいずれかの項に記載の安全針アクセサリ。
【請求項１５】
それに取り付けられた中空針を有する注射器と、請求項１〜１４のいずれかの項に記載の安全針アクセサリと、を有する注射装置。
【請求項１６】
前記注射器は、注射可能な組成物が予め充填されていることを特徴とする請求項１５に記載の注射装置。
【請求項１７】
前記注射器は、凍結乾燥薬剤を収容する充填済み再構成注射器であることを特徴とする請求項１５に記載の注射装置。
【請求項１８】
使用前に前記針が前記第１の位置において部分的に露出されることを特徴とする請求項１５〜１７のいずれかの項に記載の注射装置。
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
タバコロッドと、
フィルタに沿って吸着剤と通気部とを含む多要素フィルタと、
を含み、
前記吸着剤及び通気部は、主流煙が前記フィルタとタバコ粒子を含むタバコビーズとを通して吸引される時に主流タバコ煙から少なくとも１つの煙成分を実質的に除去するように構成されて配置されている、
ことを特徴とする喫煙物品。
【請求項２】
前記タバコビーズが前記吸着剤の下流側に配置されていることを特徴とする請求項１に記載の喫煙物品。
【請求項３】
前記タバコビーズが前記タバコロッドの中に配置されていることを特徴とする請求項１に記載の喫煙物品。
【請求項４】
前記タバコビーズが前記フィルタまたはフィルタトウ内のキャビティ内に配置されていることを特徴とする請求項１に記載の喫煙物品。
【請求項５】
主流タバコ煙から少なくとも１つの煙成分を除去するように構成されて配置された少なくとも１つの吸着剤と、
主流煙に対して香味を放出するように構成されて配置された少なくとも１つの香味放出セグメントと、
を含み、
前記香味放出セグメントは、前記吸着剤の下流に位置するタバコビーズを含み、
前記タバコビーズは、タバコ粒子を含む、
ことを特徴とする、喫煙物品。
【請求項６】
前記タバコビーズが香味料が付加された１つ以上のコーティングを含んでいることを特徴とする請求項１ないし５のいずれか１つの請求項に記載の喫煙物品。
【請求項７】
前記タバコビーズはフィルタにタバコビーズを含有するシガレットの保存の間に揮発性化合物成分の移動を最小にするのに適するフィルムで保護被覆することを特徴とする請求項１ないし５のいずれか１つの請求項に記載の喫煙物品。
【請求項８】
前記タバコビーズは、直径が約０．１から約２．５ｍｍの長球形の形態であることを特徴とする請求項１ないし５のいずれか１つの請求項に記載の喫煙物品。
【請求項９】
タバコビーズを生成する方法であって、
（ａ）タバコ粒子と水を混合して混合物を形成する段階、
（ｂ）前記混合物を押出成形して押出成形物を形成する段階、
（ｃ）押出成形物の一部分を丸み付けすることにより、第１の含水比を有するタバコビーズを形成する段階、及び
（ｄ）前記タバコビーズを第２の含水比まで乾燥させてタバコビーズを得る段階、
を含むことを特徴とする方法。